(57)【特許請求の範囲】
【請求項１】
充電式乾電池を収容する電池収納部、及び前記充電式乾電池から供給される電力によって動作する電気部品を具備する内視鏡と、ケーブル、及び前記ケーブルの一端部に設けられ、内部に交流／直流変換器及び前記充電式乾電池に充電するための充電器を備える、商用電源に接続されるコンセントを具備する電力供給ケーブルとを備える内視鏡装置において、
前記電力供給ケーブルは、他端部に一対の充電用接点ピン及び一対の電源ピンを有するケーブルコネクタを備え、
前記内視鏡は、前記ケーブルコネクタが着脱自在に接続される、一対の充電用接点部、弾性変形する一対の電気部品用接点部、及び一対の電気部品接点を有する電気的接続部を備え、
前記内視鏡は、
前記電気的接続部に前記ケーブルコネクタが接続されていない状態において、当該内視鏡の一対の電気部品用接点部と一対の電気部品接点とがそれぞれ電気的導通状態になって、前記充電式乾電池と前記電気部品とを電気的に接続した充電電源ランプ点灯回路を形成し、
前記電気的接続部に前記ケーブルコネクタが接続された状態においては、当該内視鏡の一対の充電用接点部と、前記ケーブルコネクタの一対の充電用接点ピンとがそれぞれ電気的導通状態になって、前記充電器と前記充電式乾電池とを電気的に接続して当該充電式乾電池に対して充電を行う電池充電回路、及び前記内視鏡の一対の電気部品用接点部に前記ケーブルコネクタの一対の電源ピンがそれぞれ電気的導通状態になって、前記交流／直流変換器と前記電気部品とを電気的に接続した商用電源ランプ点灯回路を形成することを特徴とする内視鏡装置。
【請求項２】
前記ケーブルコネクタを前記電気的接続部に接続するとき、前記内視鏡の一対の電気部品用接点部に、当該ケーブルコネクタの一対の電源ピンがそれぞれ当接して電気的導通状態になる一方、電気的導通状態になった前記電源ピンが前記電気部品用接点部を弾性変形させて、当該電気部品用接点部と前記一対の電気部品接点との電気的導通状態を切断して、前記内視鏡に前記充電電源ランプ点灯回路に変えて前記商用電源ランプ点灯回路を形成し、この後、前記ケーブルコネクタの一対の充電用接点ピンと前記内視鏡の一対の充電用接点部とをそれぞれ電気的導通状態にして前記電池充電回路を形成することを特徴とする請求項１に記載の内視鏡装置。
【請求項３】
前記内視鏡は、光学式内視鏡であり、
前記電気部品は、照明光を導光するライトガイドファイバの光入射端に配置される照明ランプユニットであることを特徴とする請求項１又は２に記載の内視鏡装置。
【請求項４】
前記照明ランプユニットは、光源ランプを点灯状態又は非点灯状態に制御するスイッチを有し、
前記ケーブルコネクタが前記電気的接続部に接続状態のとき、前記内視鏡は、前記スイッチによって前記光源ランプを非点灯状態にすることにより、前記電池充電回路によって、前記充電器から前記充電式乾電池に充電を行うための電力供給だけを行うことを特徴とする請求項３に記載の内視鏡装置。
【請求項５】
前記内視鏡は、固体撮像素子を挿入部の先端部に備えた電子内視鏡であり、
前記電気部品は、少なくとも、照明光を導光するライトガイドファイバの光入射端に配置される照明ランプユニット、及び前記固体撮像素子に駆動信号を出力する一方、この固体撮像素子で得られた画像信号を処理する信号処理部であることを特徴とする請求項１又は２に記載の内視鏡装置。
【請求項６】
前記電池収納部に、前記充電式乾電池とは外観寸法の異なる他の充電式乾電池を装填して、当該電池収納部に装填した当該他の充電式乾電池から供給される電力によって前記光源ランプを点灯状態にすることを可能にするための装填補助具を有することを特徴とする請求項１−５の何れか１項に記載の内視鏡装置。
【発明の詳細な説明】
【０００１】
【発明の属する技術分野】
本発明は、充電式電源を備えた携帯使用が可能な内視鏡装置に関する。
【０００２】
【従来の技術】
近年、内視鏡は、医療分野及び工業用分野において広く用いられている。内視鏡は、観察或いは検査する対象部位が生体、プラントの配管内部等であるため、対象部位を照らす照明手段が必要である。
【０００３】
一般的な内視鏡装置では内視鏡の照明手段として外部装置である光源装置を用意している。そして、この光源装置に設けられているランプの出射光を内視鏡に設けたライトガイドファイバに導光している。このライトガイドファイバに導光された出射光は、挿入部先端側まで伝送され、照明窓から対象部位に向かって出射されるようになっている。なお、前記光源装置は、一般的に商用電源から供給される電力を利用してランプを発光させるものである。
【０００４】
これに対し、例えば、特開平１０−２０１７１０号公報には電源に乾電池等のバッテリを用いたバッテリ式光源を内視鏡の操作部に着脱自在に取り付けられるように構成した内視鏡が示されている。この内視鏡は、バッテリー式光源を取り付けることによって観察を行えるので持ち運びが容易である。また、商用電源のない所での使用が可能であるため緊急時の使用にも適している。
【０００５】
そして、前記内視鏡ではバッテリー式光源に代わってライトガイドケーブルを接続することが可能である。このため、商用電源を起電力とした既存の光源装置を接続して使用するが可能であり、バッテリー式光源に搭載されている乾電池の起電力が低下した場合には、バッテリ式光源をライトガイドケーブルに繋ぎ換えれば検査を継続的に行うことができる。
【０００６】
一方、特開平１１―９５４８号公報には光源と、固体撮像素子と、この固体撮像素子で得られた画像信号を処理する信号処理部と、本体に対して着脱自在な液晶モニタと、電池電源とを具備する携帯性に優れた携帯電子内視鏡装置が示されている。
【０００７】
【発明が解決しようとする課題】
しかしながら、前記特開平１０−２０１７１０号公報に示されている内視鏡では電池が切れた際、外部装置である光源装置を用いて検査を行ったとき、検査終了後に容量が十分な電池又は充電電池に交換しておかないと次の使用時に携帯使用できなくなるという不具合があった。
【０００８】
また、特開平１１−９５４８号公報に示されている携帯電子内視鏡装置では、充電式電源の電力を固体撮像素子、信号処理部及び液晶モニタ等に供給しているので、前記充電式電源の充電状態が満状態でないと長時間の使用が困難になるという不具合があった。
【０００９】
本発明は上記事情に鑑みてなされたものであり、電気部品の電力として商用電源及び充電式電源の使用が可能で、商用電源を使用する際には電気部品への電力の供給及び充電式電源への充電のための電力の供給が可能な内視鏡装置を提供することを目的にしている。
【００１０】
【課題を解決するための手段】
本発明の内視鏡装置は、充電式乾電池を収容する電池収納部、及び前記充電式乾電池から供給される電力によって動作する電気部品を具備する内視鏡と、ケーブル、及び前記ケーブルの一端部に設けられ、内部に交流／直流変換器及び前記充電式乾電池に充電するための充電器を備える、商用電源に接続されるコンセントを具備する電力供給ケーブルとを備える内視鏡装置において、
前記電力供給ケーブルは、他端部に一対の充電用接点ピン及び一対の電源ピンを有するケーブルコネクタを備え、
前記内視鏡は、前記ケーブルコネクタが着脱自在に接続される、一対の充電用接点部、弾性変形する一対の電気部品用接点部、及び一対の電気部品接点を有する電気的接続部を備え、
前記内視鏡は、前記電気的接続部に前記ケーブルコネクタが接続されていない状態において、当該内視鏡の一対の電気部品用接点部と一対の電気部品接点とがそれぞれ電気的導通状態になって、前記充電式乾電池と前記電気部品とを電気的に接続した充電電源ランプ点灯回路を形成し、
前記電気的接続部に前記ケーブルコネクタが接続された状態においては、当該内視鏡の一対の充電用接点部と、前記ケーブルコネクタの一対の充電用接点ピンとがそれぞれ電気的導通状態になって、前記充電器と前記充電式乾電池とを電気的に接続して当該充電式乾電池に対して充電を行う電池充電回路、及び前記内視鏡の一対の電気部品用接点部に前記ケーブルコネクタの一対の電源ピンがそれぞれ電気的導通状態になって、前記交流／直流変換器と前記電気部品とを電気的に接続した商用電源ランプ点灯回路を形成する。
【００１１】
この構成によれば、内視鏡の電気的接続部に電力供給ケーブルのケーブルコネクタを接続したときには商用電源の電力が電気部品及び充電式乾電池に供給される。このとき、充電式乾電池は充電状態になる。一方、電力供給ケーブルを内視鏡から外したときには充電式乾電池の電力が電気部品に供給される。
【００１２】
【発明の実施の形態】
以下、図面を参照して本発明の実施の形態を説明する。
図１ないし図３は本発明の第１実施形態に係り、図１は内視鏡装置の全体構成を示す説明図、図２は電力供給手段を内視鏡に接続して構成した内視鏡装置の電気回路の構成を示す説明図、図３は電力供給手段を内視鏡から取り外して構成した内視鏡装置の電気回路の構成を示す説明図である。
【００１３】
図１に示すように本実施形態の内視鏡装置１は、観察部位まで挿入される細長な挿入部２０と使用者が把持する把持部を兼ねる操作部２１とで主に構成され、操作部２１の基端部には接眼部２２を有するいわゆる光学式の内視鏡２と、この内視鏡２に着脱自在で照明光を供給する光源ランプ３１を備えたいわゆる光源装置である照明ランプユニット３と、前記内視鏡２に着脱自在でこの内視鏡２に備えられる電気部品である例えば照明ランプユニット３等に電源を供給する電力供給手段である電力供給ケーブル４とで主に構成されている。
【００１４】
前記電力供給ケーブル４は、細長なケーブル４１と、このケーブル４１の端部に位置して前記内視鏡２の操作部２１に設けられている後述する電気的接続部として電気接点部を有する接続ソケット２３に着脱自在な後述する電気接点ピンを有するケーブルコネクタ４２と、商用電源に接続されるコンセント４３を備えたコンセント部４４とで構成されている。
【００１５】
前記コンセント部４４の内部には前記内視鏡２の電源収容部である後述する電池収納部２４に収納されている後述する充電式電源である充電式乾電池の特性に合った充電電圧及び電流を印可する充電器４５及び前記照明ランプユニット３の前記光源ランプ３１の定格に合った直流電流を印可する交流／直流変換器４６が備えられている。
【００１６】
前記照明ランプユニット３は、照明光を発する光源ランプ３１と、この光源ランプ３１保持し、ランプの点灯／非点灯を操作するスイッチ機能を兼ねたランプホルダ３２とで構成されている。この光源ランプ３１は、前記ランプホルダ３２に電気的導通を保つように螺合固定されている。
【００１７】
前記内視鏡２の挿入部２０は、先端側から順に硬質の先端部２ａと、この先端部２ａの後端に連設された湾曲自在に形成された湾曲部２ｂと、この湾曲部２ｂの後端に連設された可撓性を有する可撓管部２ｃとで構成されている。そして、前記湾曲部２ｂは、前記操作部２１に設けた湾曲操作レバー（不図示）を回動操作することにより湾曲操作されるようになっている。
【００１８】
前記挿入部２０内には照明光を導光するライトガイドファイバ２５と、観察光学系を構成して観察像を前記接眼部２２まで導くイメージガイドファイバ（不図示）及び処置具チャンネル及び吸引チャンネルを構成する図示しない処置具挿通用チューブ等が挿通されている。そして、前記ライトガイドファイバ２５の一端部は、ランプソケット２６に設けられている集光レンズ２７の焦点位置に配置されている。
【００１９】
前記ランプソケット２６の裏面側には前記電池収納部２４が一体的に設けられている。この電池収納部２４には充電式電源としてニカド、ニッケル水素、リチウムイオン等の充電式電池５が収納されるようになっている。そして、前記電池収納部２４の側面には、充電式電池５の残容量或いは充電レベルを表示するＬＥＤ等で構成された表示部２４ａが設けられている。
【００２０】
前記操作部２１には前記電力供給ケーブル４のケーブルコネクタ４２が着脱自在に接続される接続ソケット２３が設けられている。そして、この接続ソケット２３に前記ケーブルコネクタ４２を接続することによって、前記光源ランプ３１を点灯させるための電力及び前記充電式電池５を充電させるための電力が供給される。
【００２１】
また、操作部２１には前記処置具挿通用チューブに連通する鉗子挿入口２８が設けられており、この鉗子挿入口２８の側部には前記処置具挿通用チューブに連通する吸引口金２９が設けられている。なお、前記鉗子挿入口２８には鉗子栓２８ａを取り付けて閉塞状態にしている。
【００２２】
前記吸引口金２９には図示しない吸引器から延出する吸引チューブが接続されるようになっており、吸引レバー２９ａを適宜操作することにより前記処置具挿通用チューブ及びこの吸引口金２９、吸引チューブを介して体液などの吸引を行うことができるようになっている。
なお、符号２４ｂは充電式電池５出し入れするための電池収納蓋であり、この電池収納蓋２４ｂを電池収納部２４に装着したとき、水密性が保持される。
【００２３】
図２を参照して内視鏡２に照明ランプユニット３及び電力供給ケーブル４を取り付けた状態の内視鏡装置１の構成及び作用を説明する。
前記照明ランプユニット３を前記内視鏡２のランプソケット２６に接続することにより、光源ランプ３１が集光レンズ２７に対峙する。このとき、照明ランプユニット３は、ランプソケット２６に水密状態で配置されるので内視鏡全体が水密構造になる。
【００２４】
一方、前記電力供給ケーブル４のケーブルコネクタ４２を内視鏡２の接続ソケット２３に接続して内視鏡装置１を構成する。すると、図２に示すように前記ケーブルコネクタ４２に電気接点ピンとして設けられている充電用接点ピン４ａ，４ｂ及びランプ用電源ピン４ｃ，４ｄと、前記接続ソケット２３に設けられている電気接点部である充電用接点部２３ａ，２３ｂ及び回路切換手段となる例えば板バネ接点であるランプ用接点部２３ｃ，２３ｄとが電気的に接触して電気的導通状態になって、交流／直流変換器４６と光源ランプ３１とを電気的に接続した商用電源ランプ点灯回路及び充電器４５と充電式電池５と電気的に接続してこの充電式電池５に対する充電を行う電池充電回路を有する第１回路を構成する。そして、この電池充電回路が構成されると同時に、充電式電池５への充電が開始される。
【００２５】
ここで、照明ランプユニット３のスイッチ機能を兼ねたランプホルダ３２を回動操作してスイッチ３３をＯＮ状態にする。すると、光源ランプ３１は、交流／直流変換器４６から供給される電力によって発光し、この光源ランプ３１からの照明光がランプソケット２６内の集光レンズ２７を通過してライトガイドファイバ２５の光入射端面に集光される。
【００２６】
この集光された照明光は、ライトガイドファイバ２５を伝送されて挿入部２０の先端部２ａに設けられている図示しない照明窓から観察部位に向かって出射される。照明された観察部位の観察像は、前記照明窓に隣接する観察窓（不図示）に取り付けた対物レンズによりイメージガイドファイバの先端面に光学像を結び、結像された光学像が接眼部２２の図示しない接眼レンズを介して拡大観察される。
【００２７】
なお、接続の際、まず、ランプ用電源ピン４ｃ，４ｄがランプ用接点部２３ｃ，２３ｄである板バネ接点に当接して、この板バネ接点を弾性変形させることによって、この板バネ接点とランプ接点３ａ，３ｂとの電気的導通状態を断った商用電源ランプ点灯回路を形成する。次に、商用電源ランプ点灯回路形成後、続いて、前記充電用接点ピン４ａ，４ｂと充電用接点部２３ａ，２３ｂとが接触して、充電器４５と充電式電池５とが接触して電池充電回路を形成してこの充電式電池５への充電を開始する。
【００２８】
また、上述した第１回路を構成する際、必ず、この板バネ接点とランプ接点３ａ，３ｂとの電気的導通状態を切断してから電池充電回路を構成するようになっている。このことにより、充電器４５からの電流が光源ランプ３１に流れない構成になっている。
【００２９】
本図の内視鏡装置１では電力供給ケーブル４によって商用電源を電源としているので、この電力供給ケーブル４が接続されている間、光源ランプ３１は連続点灯可能であり、長期にわたる観察に使用可能となる。
【００３０】
また、ランプ点灯中の内視鏡装置使用中においても充電式電池５への充電作業を行っているので、ケーブルコネクタ４２を接続ソケット２３から取り外すことによって瞬時に充電式電池５を電源とする図３に示す携帯使用が可能な内視鏡装置１となる。
【００３１】
さらに、充電式電池５の充電のみを行う場合にはランプホルダ３２を操作してスイッチ３３をＯＦＦ状態にして光源ランプ３１を消灯状態にしておく。
【００３２】
次に、図３を参照して内視鏡２から電力供給ケーブル４を取り外した状態の内視鏡装置１の構成及び作用を説明する。
前記照明ランプユニット３を前記内視鏡２のランプソケット２６に接続した状態で、前記内視鏡２の接続ソケット２３に電力供給ケーブル４のケーブルコネクタ４２が非接続状態であるとき、前記板バネ接点であるランプ用接点部２３ｃ，２３ｄには前記図２で示したように前記ランプ用電源ピン４ｃ，４ｄが接触していない。このため、板バネ接点は、弾性変形することなく、ランプ接点３ａ，３ｂに電気的に接触して電気的導通状態になって、充電式電池５と光源ランプ３１とを電気的に接続した充電電源ランプ点灯回路を形成した第２回路を構成する。
【００３３】
ここで、照明ランプユニット３のスイッチ機能を兼ねたランプホルダ３２を回動操作してスイッチ３３をＯＮ状態にする。すると、光源ランプ３１は、充電式電池５から供給される電力によって発光し、この光源ランプ３１からの照明光がランプソケット２６内の集光レンズ２７を通過してライトガイドファイバ２５の光入射端面に集光されて前述と同様に作用する。
【００３４】
また、この光源ランプ３１点灯時、電池収納部２４に設けた表示部２４ａが点灯し電力供給状態であることを表示するとともに前記充電式電池５の現在の充電容量又は残りの使用時間を術者に報知する。
【００３５】
なお、この報知は、例えば電源電圧が規定値を下回ったときＬＥＤが点灯状態から点滅状態に切り替えたり、発光色を変化させたり、複数のＬＥＤを用いて電圧降下が進むごとに点灯するＬＥＤを経抗したり、レベルメータとして表示するように構成してある。
【００３６】
また、本図の内視鏡装置１の構成では緊急時の処置やベットサイドでの処置のように、携帯性を必要とするとき、電力供給ケーブル４を内視鏡２に接続していない状態での使用に適している。そして、充電式電池５の充電容量がわずかになったなら、電力供給ケーブル４のケーブルコネクタ４２を接続ソケット２３に接続するとともにコンセント部４４を商用電源に接続して充電式電池５への充電及び観察を継続して行う。
【００３７】
さらに、充電状態において、前記電池収納部２４の表示部２４ａに充電レベルを表示するようにしてもよい。
【００３８】
このように、回路切換手段として板バネ接点を設け、内視鏡に電力供給ケーブルを接続したときには、商用電源ランプ点灯回路及び電池充電回路を有する第１回路を形成した内視鏡装置を構成し、内視鏡から電力供給ケーブルを取り外したときには充電電源ランプ点灯回路である第２回路を形成した内視鏡装置が構成されるので、充電式電池の充電状態が実使用に耐えない充電レベルまで低下した時に、内視鏡に電力供給ケーブルを接続して第１回路を構成することによって、観察と同時に充電式電池への充電を行うことができる。このことにより、商用電源を使用して観察を行いながら、充電作業を行って、商用電源使用後に発生していた充電式電池への充電のし忘れを防止するとともに、術者が電池管理に気を配る必要がなくなる。
【００３９】
また、充電式電池の残容量を表示部に表示させることによって、充電式電池の充電管理を確実且つ容易に行うことができる。
【００４０】
さらに、電力供給ケーブルを内視鏡に接続する際、充電電源ランプ点灯回路を開放状態にして後に電池充電回路が構成されるので、光源ランプに充電器からの過電圧がかかることを確実に防止することができる。このことによって、ランプのフィラメント切れ等がなくなる。
【００４１】
図４は本発明の第２実施形態に係る電力供給手段を内視鏡に接続した他の構成の内視鏡装置を示す説明図である。
図に示すように本実施形態の内視鏡は、挿入部２０の先端部２ａに観察光学系として固体撮像素子５１を配置した電子内視鏡２Ａである。
【００４２】
前記電子内視鏡２Ａの先端部２ａには電気部品である前記固体撮像素子５１及びこの固体撮像素子５１の撮像面に観察部位の光学像を結像させる対物レンズ５２が配置されている。この固体撮像素子５１で光電変換された画像信号は、信号ケーブル５３を介して操作部２１内に配置されている電気部品である信号処理部５４に伝送され、この信号処理部５４で映像信号を生成して、操作部２１に設けた電気部品である液晶モニタ５５上に内視鏡画像を表示する構成になっている。なお、前記操作部２１には生成された映像信号を出力するビデオ出力端子５６が設けられており、ＴＶケーブル６１を介して表示装置６に内視鏡画像を表示することができるようになっている。
【００４３】
つまり、本実施形態においては、電気部品として前記照明ランプユニット３に加えて、固体撮像素子５１、信号処理部５４及び液晶モニタ５５が設けられている。そして、これら電気部品の動作に必要な電力は、充電式電池５及び電力供給ケーブル４によって供給されるものであり、一般的な使用形態としては電力供給ケーブル４を内視鏡２Ａに接続して使用するものである。その他の構成は前記第１実施形態と同様であり、同部材には同符合を付して説明を省略する。
【００４４】
上述のように構成した電子内視鏡装置１Ａの作用を説明する。
本実施形態においては通常、電力供給ケーブル４を内視鏡２Ａに接続して検査を行う。このため、検査中に、充電式電池５に充電のための電力が供給されるので、この検査後には充電式電池５の容量が満状態になる。その他の作用は前記第１実施形態と同様である。
【００４５】
このように、本実施形態の電子内視鏡は、通常、電力供給ケーブルを接続した電子内視鏡装置として検査を行う構成になっているので、この検査中に充電式電池の充電を確実に行うことができる。このことにより、この電子内視鏡を携帯使用する際には充電式電池が常に満状態になっているので、最大時間の使用が可能である。
【００４６】
また、電力供給ケーブルを電子内視鏡に接続して内視鏡装置を構成しているので、携帯性を損なうことなく携帯型電子内視鏡と略同じ作業性での使用が可能である。
【００４７】
なお、図５に示すように電子内視鏡２Ａの操作部２１に無線信号処理部５７及び送信部５８を設け、前記信号処理部５４で生成した映像信号をこの無線信号処理部５７、送信部５８を介して無線信号にしてモニター受信部６２を有する表示装置６Ａに伝送する構成であってもよい。
【００４８】
このことにより、無線信号で表示装置に内視鏡画像を伝送することができるので、表示装置の配置位置に制約を受けない。
【００４９】
また、図６に示すように電子内視鏡装置１Ｂを、電力供給ケーブル４と、照明ランプ電源部３Ａ、電子内視鏡２Ｂとで構成するようにしてもよい。つまり、電子内視鏡２Ｂから照明ランプ電源部３Ａを分離し、この照明ランプ電源部３Ａに光源ランプ３１と充電式電池５を配置する。そして、この照明ランプ電源部３Ａと前記電力供給ケーブル４とを上述と同様に充電用接点部２３ａ，２３ｂ及び板バネ接点であるランプ用接点部２３ｃ，２３ｄを介して接続し、この照明ランプ電源部３Ａと電子内視鏡２Ｂとを照明ランプ電源部３Ａに設けたスコープ接点ピン７１と電子内視鏡２Ｂに設けたスコープ接点７２とを電気的に接続して電気的導通を図る。なお、この照明ランプ電源部３Ａに接続される内視鏡は、電子内視鏡に限定されるものではなく、光学式の内視鏡であってもよい。
【００５０】
このことにより、内視鏡が照明ランプ電源部から独立しているので、用途に応じて内視鏡を照明ランプ電源部に接続することにより、検査目的に最適な内視鏡装置を構成して効率よく内視鏡検査を行える。
【００５１】
前記電池収納部２４の電池収納スペースは、一般に市販されている充電式電池の中でも比較的大きなサイズの電池形状に合わせて形成されている。即ち、図７に示すように前記充電式電池５の外径寸法はφＡ、高さ寸法はＬであり、前記電池収納部２４にはこの充電式電池５がちょうど収納できるようになっている。
【００５２】
しかし、例えば符号５Ａに示すように外径寸法が前記充電式電池５より小径なφＢで、高さ寸法がＬの小さなサイズの充電式電池５Ａを使用する場合も考えられる。このため、本実施形態には小さなサイズの充電式電池５Ａを電池収納部２４に収納して使用することを可能にする装填補助具７７を有している。
【００５３】
この装填補助具７７は、外形寸法が前記充電式電池５と同じ外形寸法がφＡ及び高さ寸法がＬで、前記充電式電池５Ａが収納される内径寸法がφＢの収納部７８を有して構成されている。つまり、前記充電式電池５Ａを収納部７８に収納配置した状態にして、この装填補助具７７を電池収納部２４に収納するようになっている。このことにより、例えば、単二型充電式電池が収納されるように構成されている電池収納部に装填補助具７７を使用して単三型充電式電池を装填することが可能になる。
【００５４】
なお、前記装填補助具の形状は上記形態に限定されるものはなく、その他各種充電式電池の形状を考慮して高さ寸法及び径寸法或いは形状等が調整されるものである。したがって、電池の形状に合わせた装填補助具と電池とを組み合わせることによって、電池収納部に各種電池を装填することが可能になって、電池選択肢の幅が広がる。
【００５５】
なお、本発明は、以上述べた実施形態のみに限定されるものではなく、発明の要旨を逸脱しない範囲で種々変形実施可能である。
【００５６】
［付記］
以上詳述したような本発明の上記実施形態によれば、以下の如き構成を得ることができる。
【００５７】
（１）充電式電源を収容する電源収容部と、前記充電式電源から供給される電力によって動作する電気部品とを具備する内視鏡と、
前記充電式電源に充電のための電力を供給する電力供給手段とを備える内視鏡装置において、
前記内視鏡は、
前記電力供給手段を着脱自在に接続する電気的接続部と、
この電気的接続部に前記電力供給手段が接続状態のとき、この電力供給手段から前記電気部品を動作させるための電力及び前記充電式電源に充電を行うための電力を供給する第１回路を形成し、この電気的接続部に前記電力供給手段が非接続状態のとき、前記充電式電源から前記電気部品に電力を供給する第２回路を形成する回路切換手段と、
を具備する内視鏡装置。
【００５８】
（２）前記電力供給手段は、商用電源を起電力とし、内部に直流／交流変換器及び前記充電式電源を充電するための充電電圧／電流制御回路を備える付記１記載の内視鏡装置。
【００５９】
（３）前記充電式電源は充電式乾電池である付記１記載の内視鏡装置。
【００６０】
（４）前記回路切換手段は板ばね接点である付記１記載の内視鏡装置。
【００６１】
（５）前記内視鏡は、光学式内視鏡であり、
前記電気部品は、照明光を導光するライトガイドファイバの光入射端に配置される照明ランプユニットである付記１記載の内視鏡装置。
【００６２】
（６）前記照明ランプは、ランプを点灯状態又は非点灯状態に制御するスイッチを有し、前記電気的接続部に前記電力供給手段が接続状態のとき、前記スイッチによってランプを非点灯状態にすることにより、前記電力供給手段は前記充電式電源に充電を行うための電力だけを供給する付記１記載の内視鏡装置。
【００６３】
（７）前記内視鏡は、固体撮像素子を挿入部の先端部に備えた電子内視鏡であり、
前記電気部品は、照明光を導光するライトガイドファイバの光入射端に配置される照明ランプユニット及び前記固体撮像素子に駆動信号を出力する一方、この固体撮像素子で得られた画像信号を処理する信号処理部である付記１記載の内視鏡装置。
【００６４】
（８）前記信号処理部は、映像信号を無線信号に変換して伝送する伝送手段を有する付記７記載の内視鏡装置。
【００６５】
（９）照明光を導光するためのライトガイドファイバと、結像した観察像を画像信号に光電変換する固体撮像素子と、この固体撮像素子の駆動信号及び画像信号を処理する信号処理部とを備える電子内視鏡と、
この電子内視鏡に着脱自在で照明ランプと充電式電源とを備える光源装置と、
この光源装置に着脱自在で商用電源を起電力とし、内部に直流／交流変換器及び前記充電式電源を充電するための充電電圧／電流制御回路を備える電力供給手段と、
を具備する内視鏡装置。
【００６６】
（１０）電池収納部には外観寸法の異なる充電式乾電池を正常状態に装填するための装填補助具を有する付記１記載の内視鏡装置。
【００６７】
【発明の効果】
以上説明したように本発明によれば、電気部品の電力として商用電源及び充電式電源の使用が可能で、商用電源を使用する際には電気部品への電力の供給及び充電式電源への充電のための電力の供給が可能な内視鏡装置を提供することができる。
【図面の簡単な説明】
【図１】図１ないし図３は本発明の第１実施形態に係り、図１は内視鏡装置の全体構成を示す説明図
【図２】電力供給手段を内視鏡に接続して構成した内視鏡装置の電気回路の構成を示す説明図
【図３】電力供給手段を内視鏡から取り外して構成した内視鏡装置の電気回路の構成を示す説明図
【図４】本発明の第２実施形態に係る電力供給手段を内視鏡に接続した他の構成の内視鏡装置を示す説明図
【図５】電子内視鏡装置の他の構成例を説明する図
【図６】内視鏡装置の他の構成例を説明する図
【図７】電池収納部と充電式電池との関係を説明する図
【符号の説明】
１…内視鏡装置
２…内視鏡
３…照明ランプユニット
４…電力供給ケーブル
５…充電式電池
２３…接続ソケット
２４…電池収納部
４５…充電器
４６…交流／直流変換器
【図１】
0004372915.tif 000002
【図２】
0004372915.tif 000003
【図３】
0004372915.tif 000004
【図４】
0004372915.tif 000005
【図５】
0004372915.tif 000006
【図６】
0004372915.tif 000007
【図７】
0004372915.tif 000008